【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
システムであって、
メモリと、
前記メモリに格納されたコンピュータ実行可能なプログラムコードを実行するためのプロセッサとを備え、前記プログラムコードが、前記システムに、
第１の超音波パルスを生体組織に印加して、前記生体組織内にせん断波を生成させ、
第２の超音波パルスを前記生体組織内に送信させ、
前記第２の超音波パルスに応答して発生された１以上の超音波信号を前記生体組織から受信させ、
前記生体組織内の前記せん断波を、前記受信した１以上の超音波信号に基づいて検出させ、
前記生体組織における複数の位置の各々における前記せん断波のピーク変位までの時間を決定させ、
前記複数の位置の各々における前記せん断波の前記決定されたピーク変位までの時間に基づいて、せん断波伝搬速度の２乗を決定させる、
システム。
【請求項２】
前記せん断波伝搬速度の２乗の決定が、
前記複数の位置の各々における前記せん断波のピーク変位までの時間の２乗の算出と、
前記複数の位置の各々の、前記せん断波の起源からの距離の２乗の算出と、
前記複数の位置の各々に関する、前記距離の２乗の、前記時間の２乗による割算と、
を含む、請求項１に記載のシステム。
【請求項３】
前記せん断波のピーク変位までの時間の決定が、
前記受信された超音波信号間の相互相関、差の絶対値の和（ＳＡＤ）、差の２乗の和（ＳＳＤ）、差の絶対値の３乗の和（ＳＣＤ）、又は、差の絶対値の累乗の和（ＳＰＤ）の算出、
を含む、請求項１に記載のシステム。
【請求項４】
前記せん断波伝搬速度の２乗の決定が、
前記複数の位置の各々における前記せん断波のピーク変位までの時間の２乗の算出と、
前記複数の位置の各々の、前記せん断波の起源からの距離の２乗の算出と、
前記複数の位置の各々の、前記ピーク変位までの時間の２乗と、前記せん断波の前記起源からの距離の２乗との回帰直線の算出と、
を含む、請求項１に記載のシステム。
【請求項５】
前記せん断波伝搬速度の２乗の決定が、
前記複数の位置の各々における前記せん断波のピーク変位までの時間の２乗の算出と、
前記複数の位置の各々の、前記せん断波の起源からの距離の２乗の算出と、
前記複数の位置の各々に関する、前記ピーク変位までの時間の２乗と、前記せん断波の前記起源からの距離の２乗との回帰直線及び相関係数の算出と、
を含む、請求項１に記載のシステム。
【請求項６】
前記せん断波伝搬速度の２乗の決定が、
前記複数の位置のうちの、前記ピーク変位までの時間と距離の２乗との相関係数が予め設定された閾値よりも大きい複数の位置の決定と、
前記複数の位置の各々に関する、前記ピーク変位までの時間の２乗と、前記せん断波の前記起源からの距離の２乗との第２の回帰直線の算出と、
前記第２の回帰直線の勾配の決定と、
を含む、請求項５に記載のシステム。
【請求項７】
前記せん断波伝搬速度の２乗の決定が、
前記複数の位置のうちの２つの位置におけるせん断波のピーク変位までの時間の差の２乗の算出と、
前記複数の位置のうちの前記２つの位置間の距離の２乗の算出と、
前記距離の２乗の、前記時間の差の２乗による割算と、
を含む、請求項１に記載のシステム。
【請求項８】
前記せん断波伝搬速度の２乗の決定が、
前記せん断波の起源におけるピーク変位までの時間の、前記複数の位置の各々におけるせん断波のピーク変位までの時間からの減算と、
前記複数の位置の各々におけるせん断波のピーク変位までの時間の２乗の算出と、
前記複数の位置の各々の、前記せん断波の前記起源からの距離の２乗の算出と、
前記複数の位置の各々に関する、前記距離の２乗の、前記時間の２乗による割算と、
を含む、請求項１に記載のシステム。
【請求項９】
前記せん断波伝搬速度の２乗の決定が、
前記せん断波の起源におけるピーク変位までの時間の、前記複数の位置の各々におけるせん断波のピーク変位までの時間からの減算と、
前記複数の位置の各々におけるせん断波のピーク変位までの時間の２乗の算出と、
前記複数の位置の各々の、前記せん断波の起源からの距離の２乗の算出と、
前記複数の位置の各々に関する、前記ピーク変位までの時間の２乗と、前記せん断波の前記起源からの距離の２乗との回帰直線の算出と、
を含む、請求項１に記載のシステム。
【請求項１０】
前記せん断波伝搬速度の２乗の決定が、
前記せん断波の起源におけるピーク変位までの時間の、前記複数の位置の各々におけるせん断波のピーク変位までの時間からの減算と、
前記複数の位置の各々におけるせん断波のピーク変位までの時間の２乗の算出と、
前記複数の位置の各々の、前記せん断波の起源からの距離の２乗の算出と、
前記複数の位置の各々に関する、前記ピーク変位までの時間の２乗と、前記せん断波の前記起源からの距離の２乗との回帰直線及び相関係数の算出と、
を含む、請求項１に記載のシステム。
【請求項１１】
前記せん断波伝搬速度の２乗の決定が、
前記複数の位置の１つの選択と、
前記選択された位置におけるピーク変位までの時間の、前記複数の位置の各々におけるせん断波のピーク変位までの時間からの減算と、
複数の位置の各々におけるせん断波のピーク変位までの時間の２乗の算出と、
前記複数の位置の各々の、前記選択された位置からの距離の２乗の算出と、
前記複数の位置の各々に関する、前記距離の２乗の、前記時間の２乗による割算と、
を含む、請求項１に記載のシステム。
【請求項１２】
前記せん断波伝搬速度の２乗の決定が、
前記複数の位置の１つの選択と、
前記選択された位置におけるピーク変位までの時間の、前記複数の位置の各々におけるせん断波のピーク変位までの時間からの減算と、
前記複数の位置の各々におけるせん断波のピーク変位までの時間の２乗の算出と、
前記複数の位置の各々の、前記選択された位置からの距離の２乗の算出と、
前記複数の位置の各々に関する、前記ピーク変位までの時間の２乗と、前記選択された位置からの距離の２乗との回帰直線の算出と、
を含む、請求項１に記載のシステム。
【請求項１３】
前記せん断波伝搬速度の２乗の決定が、
前記複数の位置の１つの選択と、
前記選択された位置におけるピーク変位までの時間の、前記複数の位置の各々におけるせん断波のピーク変位までの時間からの減算と、
前記複数の位置の各々におけるせん断波のピーク変位までの時間の２乗の算出と、
前記複数の位置の各々の、前記選択された位置からの距離の２乗の算出と、
前記複数の位置の各々に関する、前記ピーク変位までの時間の２乗と、前記選択された位置からの距離の２乗との回帰直線及び相関係数の算出と、
を含む、請求項１に記載のシステム。
【請求項１４】
前記せん断波伝搬速度の２乗の決定が、
前記複数の位置のうちの、前記ピーク変位までの時間と前記距離の２乗との相関係数が予め設定された閾値よりも大きい複数の位置の決定と、
前記複数の位置の各々に関する、前記ピーク変位までの時間の２乗と、前記選択された位置からの距離の２乗との第２の回帰直線の算出と、
前記第２の回帰直線の勾配の決定と、
を含む、請求項１３に記載のシステム。
【請求項１５】
前記せん断波伝搬速度の２乗の決定が、
前記複数の位置のうちの、前記ピーク変位までの時間と前記距離の２乗との相関係数が予め設定された閾値よりも大きい複数の位置の決定と、
前記複数の位置の各々に関する、前記ピーク変位までの時間の２乗と、前記せん断波の起源からの距離の２乗との第２の回帰直線の算出と、
前記第２の回帰直線の勾配の決定と、
を含む、請求項１０に記載のシステム。
【請求項１６】
前記せん断波のピーク変位までの時間の決定が、
カラードプラシフト周波数、カラードプラ位相、又は、カラードプラ速度の、前記受信された超音波信号のＩ−Ｑ信号に基づいた算出を含む、請求項１に記載のシステム。
【請求項１７】
第１の超音波パルスを生体組織に印加して、前記生体組織内にせん断波を生成するステップと、
第２の超音波パルスを前記生体組織内に送信するステップと、
前記第２超音波パルスに応答して発生された１以上の超音波信号を前記生体組織から受信するステップと、
前記生体組織内のせん断波を、前記受信された１以上の超音波信号に基づいて検出するステップと、
前記生体組織における複数の位置の各々におけるせん断波のピーク変位までの時間を決定するステップと、
前記複数の位置の各々におけるせん断波のピーク変位までの前記決定された時間に基づいて、せん断波伝搬速度の２乗を決定するステップと、
を含む方法。
【請求項１８】
コンピュータ実行可能なプログラムコードを格納している一時的でない媒体であって、前記プログラムコードが、演算装置により、
第１の超音波パルスを生体組織に印加して、前記生体組織内にせん断波を生成し、
第２の超音波パルスを前記生体組織内に送信し、
前記第２超音波パルスに応答して発生された１以上の超音波信号を前記生体組織から受信し、
前記生体組織内のせん断波を、前記受信された１以上の超音波信号に基づいて検出し、
前記生体組織における複数の位置の各々におけるせん断波のピーク変位までの時間を決定し、
前記複数の位置の各々におけるせん断波のピーク変位までの前記測定された時間に基づいてせん断波伝搬速度の２乗を決定する、
ことが実行可能である、媒体。